(57)【要約】【課題】安定して把持しつつ、タッチパネルに対する操作を容易にする電子機器を提供する。【解決手段】電子機器１は、長手方向を有する前面と背面とを有する筐体１０と、前面に設けられるタッチパネルディスプレイ２０、３０と、長手方向の第１端の側に設けられた把持部４０と、背面の第２端の側に設けられたカメラ６０とを備える。把持部４０は、前面段差部４２と、背面段差部４４とを有する。前面段差部４２と背面段差部４４とは、第１端の側におけるタッチパネルディスプレイ２０、３０の端部に沿う。【選択図】図１
2018128584.tif 000002
【特許請求の範囲】
【請求項１】
長手方向を有する前面と、前記前面の反対側に位置する背面とを有する筐体と、
前記前面に設けられるタッチパネルディスプレイと、
前記長手方向の第１端の側に設けられた把持部と、
前記背面に設けられ、前記第１端の反対側に位置する第２端の側に設けられたカメラと
を備え、
前記把持部は、前記前面に設けられる前面段差部と、前記背面に設けられる背面段差部とを有し、
前記前面段差部と前記背面段差部とは、前記第１端の側における前記タッチパネルディスプレイの端部に沿う、
電子機器。
【請求項２】
前記前面段差部は、湾曲形状を有する、請求項１に記載の電子機器。
【請求項３】
前記把持部は、前記筐体の側面に設けられる側面段差部をさらに有する、請求項１又は２に記載の電子機器。
【請求項４】
前記側面段差部は、前記長手方向に沿う線について線対称に設けられる、請求項３に記載の電子機器。
【請求項５】
前記カメラに撮像を指示するための物理ボタンをさらに備え、
前記物理ボタンは、前記側面段差部からユーザの第２指の第１関節から先端までの長さ未満だけ離れて位置する、請求項１乃至４のいずれか一項に記載の電子機器。
【請求項６】
前記物理ボタンの周囲に設けられる第１リブをさらに有する、請求項５に記載の電子機器。
【請求項７】
前記カメラの近傍に、第２リブをさらに有する、請求項１乃至６のいずれか一項に記載の電子機器。
【請求項８】
前記第２リブを複数有する、請求項７に記載の電子機器。
【発明の詳細な説明】
【技術分野】
【０００１】
本開示は、電子機器に関する。
【背景技術】
【０００２】
従来、把持しやすい構造でありつつ、把持しながら物理ボタンを操作しやすい構造を有する電子機器がある（例えば、特許文献１参照）。
【先行技術文献】
【特許文献】
【０００３】
【特許文献１】特開２００７−２６０４０９号公報
【発明の概要】
【発明が解決しようとする課題】
【０００４】
電子機器がタッチパネルを有する場合、把持しながらタッチパネルに対する操作をしやすい構造を有することが求められる。
【０００５】
本開示は、安定して把持しつつ、タッチパネルに対する操作を容易にする電子機器を提供することを目的とする。
【課題を解決するための手段】
【０００６】
本開示の一実施形態に係る電子機器は、長手方向を有する前面と、前記前面の反対側に位置する背面とを有する筐体を備える。前記電子機器は、前記前面に設けられるタッチパネルディスプレイを備える。前記電子機器は、前記長手方向の第１端の側に設けられた把持部を備える。前記電子機器は、前記背面に設けられ、前記第１端の反対側に位置する第２端の側に設けられたカメラを備える。前記把持部は、前記前面に設けられる前面段差部と、前記背面に設けられる背面段差部とを有する。前記前面段差部と前記背面段差部とは、前記第１端の側における前記タッチパネルディスプレイの端部に沿う。
【発明の効果】
【０００７】
本開示の一実施形態に係る電子機器によれば、安定して把持しつつ、タッチパネルに対する操作が容易になりうる。
【図面の簡単な説明】
【０００８】
【図１】一実施形態に係る電子機器の前面の構成例を示す図である。
【図２】一実施形態に係る電子機器の背面の構成例を示す図である。
【図３】一実施形態に係る電子機器の構成例を示すブロック図である。
【図４】カメラの構成例を示す図である。
【図５】図３のＡ−Ａ断面図である。
【図６】シャッターボタンの構成例を示す図である。
【図７】表示部に表示されるソフトキーの一例を示す図である。
【発明を実施するための形態】
【０００９】
本実施形態に係る電子機器は、携帯電話、又はスマートフォン等の携帯電子機器であってよい。本実施形態に係る電子機器は、携帯電子機器に限定されるものではない。電子機器は、デスクトップＰＣ（Personal Computer）、ノートＰＣ、タブレット型ＰＣ、家電製品、産業用機器若しくはＦＡ（Factory Automation）機器、又は専用端末等の種々の電子機器であってよい。
【００１０】
例えば特許文献１に記載される電子機器は、段落〔００４１〕及び〔００４２〕に記載されているように、ユーザが把持しやすい構造を有する。特許文献１に記載される電子機器は、ユーザが把持しやすいことによって、該装置によりゲームをプレイしているときに激しい動作をしてもボタンに対する操作性が失われない。一方、本実施形態に係る電子機器は、安定して把持できる構造を有しつつ、把持しながらタッチパネルに対する操作を容易に行いうるものである。
【００１１】
図１及び図２に示されるように、一実施形態に係る電子機器１は、筐体１０を備える。筐体１０は、略直方体形状であってよい。本実施形態において、筐体１０は、６つの面を有するものとする。筐体１０の各面は、平面に限られず、湾曲形状等を有する曲面であってよい。筐体１０の各面は、互いに交差するように接続してよい。筐体１０の各面は、互いになめらかに接続してよい。
【００１２】
筐体１０のＺ軸の正及び負の方向に向く面はそれぞれ、第１面及び第２面ともいう。第１面及び第２面はそれぞれ、前面及び背面ともいう。前面及び背面は、Ｘ軸方向に沿う辺がＹ軸方向に沿う辺より長い略矩形であるものとする。筐体１０の長手方向及び短手方向はそれぞれ、Ｘ軸方向及びＹ軸方向に対応するものとする。
【００１３】
図１に示されるように、電子機器１は、筐体１０の前面に、表示部２０と、タッチパネル３０と、前面把持部４１とを備える。前面把持部４１は、前面段差部４２を含む。前面把持部４１は、タッチパネル３０よりもＺ軸の正の方向の側に凸となる。前面段差部４２は、前面把持部４１の、タッチパネル３０の側の端部に位置する。前面段差部４２は、前面把持部４１の凸部分からタッチパネル３０の表面に至るまでの、Ｚ軸の負の方向へ変位する部分として特定される。言い換えれば、前面段差部４２は、前面把持部４１からタッチパネル３０の表面までをスロープ形状で接続する部分である。前面段差部４２のＸ軸方向の端部は、前面把持部４１の表面がＺ軸の負の方向に変位し始める部分とされてよい。前面段差部４２のＸ軸方向の端部は、前面把持部４１のＸ軸の負の方向の側の端部とされてよい。
【００１４】
図２に示されるように、電子機器１は、筐体１０の背面に、背面把持部４３と、カメラ６０とを備える。背面把持部４３は、背面段差部４４を含む。背面把持部４３は、筐体１０の背面よりもＺ軸の負の方向の側に凸となる。背面段差部４４は、背面把持部４３の、Ｘ軸の正の方向の側の端部に位置する。背面段差部４４は、背面把持部４３の凸部分から筐体１０の背面に至るまでの、Ｚ軸の正の方向へ変位する部分として特定される。言い換えれば、背面段差部４４は、背面把持部４３から筐体１０の背面までをスロープ形状で接続する部分である。背面段差部４４のＸ軸方向の端部は、背面把持部４３の表面がＺ軸の正の方向に変位し始める部分とされてよい。背面段差部４４のＸ軸方向の端部は、背面把持部４３のＸ軸の負の方向の側の端部とされてよい。
【００１５】
前面把持部４１と背面把持部４３とは、まとめて把持部４０ともいう。把持部４０は、Ｘ軸の正の方向の側に位置するともいえる。筐体１０のＸ軸の正の方向の端部は、第１端ともいう。筐体１０のＸ軸の負の方向の端部は、第２端ともいう。第１端及び第２端は、筐体１０の長手方向の両端に位置するといえる。第２端は、第１端の反対側に位置するともいえる。把持部４０は、第１端の側に設けられるものとする。カメラ６０は、第２端の側に位置するものとする。
【００１６】
電子機器１のＹ軸の正及び負の方向に向く面はそれぞれ、第３面及び第４面ともいう。第３面及び第４面は、筐体１０の側面ともいう。電子機器１のＸ軸の正及び負の方向に向く面はそれぞれ、第５面及び第６面ともいう。電子機器１は、第３面に、カメラ６０に撮像を指示するためのシャッターボタン７０を備える。
【００１７】
電子機器１は、コーナーガード４５を備える。コーナーガード４５は、第３面と第５面との間、第３面と第６面との間、第４面と第５面との間、及び第４面と第６面との間のそれぞれに位置する角部に設けられる。コーナーガード４５は、第３面又は第４面の側に位置する側面段差部４６を含む。コーナーガード４５は、第３面又は第４面に対して凸形状となる部分を有する。側面段差部４６は、コーナーガード４５の、第３面又は第４面の側の端部に位置する。第３面の側の側面段差部４６は、コーナーガード４５の凸部分から第３面に至るまでの、Ｙ軸の負の方向へ変位する部分として特定される。第４面の側の側面段差部４６は、コーナーガード４５の凸部分から第４面に至るまでの、Ｙ軸の正の方向へ変位する部分として特定される。側面段差部４６のＸ軸方向の端部は、コーナーガード４５の第３面又は第４面の側の端部とされてよい。側面段差部４６のＸ軸方向の端部は、コーナーガード４５がＹ軸方向に変位し始める部分とされてよい。側面段差部４６は、把持部４０に含まれてよい。
【００１８】
コーナーガード４５は、筐体１０に加わる衝撃を緩和するバンパーとして機能しうる。コーナーガード４５は、例えばスポンジ材料又はゴム材料等の弾性部材によって構成されてよい。コーナーガード４５又は側面段差部４６は、筐体１０の長手方向に沿う線について線対称に設けられてよい。側面段差部４６が線対称に設けられることによって、ユーザは、左右どちらの手でも電子機器１を安定して把持しうる。
【００１９】
電子機器１は、右手だけで把持されうる。電子機器１が右手だけで把持される態様は、例えば、図１及び図２において二点鎖線の想像線で示される。図１及び図２に示される、第１指８１、第２指８２、第３指８３、第４指８４、及び第５指８５はそれぞれ、親指、人差し指、中指、薬指、及び小指と一般的に呼称される指に対応する。ユーザは、前面段差部４２に置いた第１指８１で電子機器１を把持しうる。ユーザは、背面段差部４４に置いた第３指８３又は第４指８４で電子機器１を把持しうる。ユーザは、第１指８１と第３指８３又は第４指８４とで把持部４０を挟持し、電子機器１を把持しうる。ユーザは、他の態様で電子機器１を把持してよい。
【００２０】
把持部４０は、表面にテクスチャを有してよい。テクスチャは、例えば、ピラミッド形状が並んで構成されるものであってよい。把持部４０がテクスチャを有することによって、ユーザは、電子機器１をより安定して把持しうる。
【００２１】
ユーザは、側面段差部４６に第２指８２を置いて、コーナーガード４５で電子機器１を把持しうる。ユーザは、側面段差部４６に第２指８２の第１関節８２１が位置するように電子機器１を把持しうる。第２指８２の第１関節８２１が側面段差部４６に当たることによって、第２指８２がコーナーガード４５の形状にフィットしうる。結果として、ユーザは、電子機器１をより安定に把持しうる。
【００２２】
電子機器１は、図３に示されるように、制御部２をさらに備える。制御部２は、表示部２０と、タッチパネル３０と、カメラ６０と、シャッターボタン７０とに接続され、各構成部を制御する。制御部２は、例えばプロセッサとして構成される。制御部２は、１以上のプロセッサを含んでよい。プロセッサは、特定のプログラムを読み込ませて特定の機能を実行する汎用のプロセッサ、及び特定の処理に特化した専用のプロセッサを含んでよい。専用のプロセッサは、特定用途向けＩＣ（Integrated Circuit）を含んでよい。特定用途向けＩＣは、ＡＳＩＣ（Application Specific Integrated Circuit）ともいう。プロセッサは、プログラマブルロジックデバイスを含んでよい。プログラマブルロジックデバイスは、ＰＬＤ（Programmable Logic Device）ともいう。ＰＬＤは、ＦＰＧＡ（Field-Programmable Gate Array）を含んでよい。制御部２は、１つ又は複数のプロセッサが協働するＳｏＣ（System on a Chip）、及びＳｉＰ（System in a Package）のいずれかであってよい。制御部２は、プログラム等を格納する記憶部を備えてよい。
【００２３】
表示部２０は、制御部２から取得した情報に基づき、文字、画像、操作用オブジェクト、ポインタ等を表示する。表示部２０は、例えば、液晶ディスプレイ、有機ＥＬ（Electroluminescence）ディスプレイ、無機ＥＬディスプレイ等の表示デバイスであってよいが、これらに限られない。
【００２４】
タッチパネル３０は、タッチセンサを備え、ユーザによるタッチを入力として検出する。タッチパネル３０には、表示部２０が接合される。タッチパネル３０に接合された表示部２０は、タッチパネルディスプレイともいう。
【００２５】
カメラ６０は、電子機器１の背面の側に設けられる。カメラ６０は、被写体を撮像可能に構成される。カメラ６０は、図４及び図５に示されるように、撮像素子６１と、光学系６２と、カバー６３と、リング６４とを備える。筐体１０は、開口端１０ａを有する。カメラ６０の各部は、開口端１０ａで特定される開口の内部、又は、開口よりも筐体１０の内側に配置される。
【００２６】
カバー６３は、例えばガラス板又は樹脂等で構成されてよい。カバー６３は、光の透過率が比較的高くなるように構成されてよい。カバー６３は、図４において八角形であるが、これに限られない。カバー６３は、他の多角形であってよいし、他の形状であってもよい。カバー６３の外形は、開口端１０ａの外形と同一であってよい。開口端１０ａには、カバー６３が嵌めこまれる受け部１６が設けられてよい。筐体１０が受け部１６を有する場合、カバー６３は、受け部１６の上に接合される。筐体１０が受け部１６を有しない場合、カバー６３は、開口端１０ａに接着剤等によって接合されてよい。
【００２７】
リング６４は、カバー６３の前面の側に設けられる。リング６４は、例えば金属又は樹脂などで構成されてよい。リング６４の外形は、開口端１０ａの外形又はカバー６３の外形と同じであってよい。リング６４は、開口端６４ａを有する。開口端６４ａは、円形であってよいし、他の形状であってよい。カメラ６０に入射する光は、開口端６４ａで特定される開口を通り、カバー６３で透過され、光学系６２に進む。
【００２８】
光学系６２は、レンズ若しくはミラー又は光学フィルタ等の光学素子で構成されてよい。光学系６２は、入射した光を、撮像素子６１の撮像面に結像させる。撮像素子６１は、撮像面に照射される光を画像信号に変換する。撮像素子６１は、ＣＣＤ（Charge-Coupled Device）イメージセンサ又はＣＭＯＳ（Complementary Metal Oxide Semiconductor）イメージセンサ等であってよい。撮像素子６１は、これらに限られず、他の素子であってよい。撮像素子６１及び光学系６２は、図５において一点鎖線で示される光軸６６にあわせて設けられるものとする。
【００２９】
筐体１０は、開口端１０ａの近傍に、背面の側に突出するカメラリブ６５を備えてよい。カメラリブ６５は、カメラ６０の撮像範囲内に位置しないように構成されてよい。カメラ６０が広角画像を撮像可能に構成される場合、カメラリブ６５は、光軸６６からできるだけ離れるように設けられてよい。カメラリブ６５が光軸６６から離れることによって、カメラリブ６５が撮像画像に入りにくくなる。開口端１０ａが図４に示されるような八角形である場合、カメラリブ６５は、光軸６６から比較的遠い４辺の近傍に設けられるものとする。
【００３０】
シャッターボタン７０は、物理ボタンとして設けられる。シャッターボタン７０は、所定のストロークより大きく押し込まれた場合、押下されたことを示す信号を制御部２に出力する。シャッターボタン７０は、電子機器１の第３面から突出して設けられてよいし、第３面と面一に設けられてよい。シャッターボタン７０が第３面から突出する場合、図６に示されるように、シャッターボタン７０の周囲に筐体１０から突出するシャッターリブ７１が設けられてよい。シャッターリブ７１が筐体１０から突出する長さは、シャッターボタン７０が筐体１０から突出する長さと同じであってよいし、異なってよい。筐体１０から突出する長さは、突出長ともいう。シャッターボタン７０の突出長がシャッターリブ７１の突出長以下である場合、ユーザがシャッターボタン７０に触れた場合に、シャッターボタン７０が意図せず押下されることが起こりにくくなる。シャッターボタン７０の突出長がシャッターリブ７１の突出長より長い場合、所定のストロークがシャッターボタン７０の突出長とシャッターリブ７１の突出長との差より長く設定される。所定のストロークが長く設定されることによって、シャッターボタン７０が意図せずに押下されることが起こりにくくなる。シャッターリブ７１が設けられることによって、シャッターボタン７０に対する誤操作が発生しにくくなる。
【００３１】
シャッターリブ７１は、第１リブともいう。カメラリブ６５は、第２リブともいう。
【００３２】
タッチパネル３０は、電子機器１を操作するためのタッチ又はスライド等の入力を検出しうる。制御部２は、図７に例示されるスライダ２１又はアイコン２２等のソフトキーを表示部２０に表示しうる。表示部２０に表示されるソフトキーは、図７の例に限られず、他の種々の態様とされうる。制御部２は、スライダ２１に対応する位置に対するスライド入力、又は、アイコン２２に対応する位置に対するタッチ入力等に応じて、電子機器１の各構成部を制御しうる。
【００３３】
前面段差部４２は、タッチパネルディスプレイの第１端の側の端部に沿って設けられる。前面段差部４２は、第１指８１によって把持されうる。前面段差部４２は、湾曲形状を有してよい。前面段差部４２が湾曲形状を有することによって、ユーザは、第１指８１によって前面段差部４２を把持しやすい。ユーザは、前面段差部４２を第１指８１によって把持する場合、タッチパネル３０にタッチしないように電子機器１を把持しうる。一方で、ユーザは、前面段差部４２を第１指８１の付け根の側で把持しつつ、第１指８１の先端でタッチパネル３０にタッチしうる。つまり、電子機器１は、前面段差部４２を把持する第１指８１がタッチパネルディスプレイの第１端の側の端部にアクセス可能となるように構成されうる。
【００３４】
制御部２は、第１指８１によってアクセス可能となる表示部２０の第１端の側にソフトキーを表示してよい。表示部２０の第１端の側にソフトキーが表示されることによって、ユーザは、電子機器１を右手で把持しながら、右手の第１指８１でソフトキーに対する操作入力を行いうる。
【００３５】
電子機器１は、前面把持部４１に物理ボタンが配置されないように構成されてよい。前面把持部４１に電子機器１を操作するための物理ボタンが配置されないことによって、ユーザは、前面把持部４１の任意の位置を把持しうる。結果として、電子機器１がより安定に把持されるとともに、電子機器１が把持される際の誤操作が発生しにくくなる。
【００３６】
ユーザは、第１指８１を前面段差部４２に沿って移動させることによって、タッチパネルディスプレイの第１端の側の端部において、Ｙ軸方向のスライド入力を行いやすい。ユーザは、前面段差部４２を第１指８１で把持しながら、タッチパネルディスプレイの第１端の側の端部のいずれの箇所にもタッチしやすい。制御部２は、表示部２０のうち、筐体１０の第１端に近い側に、カメラ６０を操作するためのソフトキーを表示してよい。ソフトキーは、筐体１０の第１端に近い側に表示される場合、前面段差部４２を把持している第１指８１によるタッチ入力又はスライド入力などで容易にアクセスされうる。ソフトキーは、例えば、カメラ６０に撮像を指示するシャッター機能が割り当てられてよい。ソフトキーは、例えば、カメラ６０の露出時間、又は、フォーカス位置をスライダ２１によって指示する機能が割り当てられてよい。このようにすることで、ユーザは、電子機器１を右手だけで把持しながら、右手だけでカメラ６０の種々の機能を操作しうる。
【００３７】
背面段差部４４は、筐体１０を挟んで、タッチパネルディスプレイの第１端の側の端部に沿って位置する。背面段差部４４が筐体１０を挟んで前面段差部４２の反対側に位置することによって、筐体１０は、第１指８１と第３指８３又は第４指８４とによって挟持されやすい。
【００３８】
側面段差部４６は、ユーザの第２指８２の第１関節８２１で把持されてよい。側面段差部４６の形状は、第１関節８２１の曲がりに合わせて決定されてよい。シャッターボタン７０は、側面段差部４６からＸ軸の負の方向に所定距離だけ離れた位置に設けられてよい。所定距離は、ユーザの第２指８２の第１関節８２１から第２指８２の先端までの長さ未満とされてよい。人間の指の平均的な長さは、例えば、国立研究開発法人  産業技術総合研究所（ＡＩＳＴ）によって作成されたＡＩＳＴ人体寸法・形状データベース等を参照することによって知ることができる。シャッターボタン７０が側面段差部４６から第２指８２の第１関節８２１の長さ以内に設けられることによって、ユーザは、第２指８２で側面段差部４６を把持しながら、第２指８２でシャッターボタン７０を押下できる。
【００３９】
シャッターボタン７０は、側面段差部４６からＸ軸の負の方向に設けられることによって、コーナーガード４５に対して、第３面の凹部に位置する。シャッターボタン７０は、第３面の凹部に位置することによって、誤操作されにくくなる。
【００４０】
図１及び図７において、電子機器１は、ユーザの右手で把持されるものとして説明されている。電子機器１は、Ｚ軸周りに１８０度回転され、ユーザの左手で把持されてよい。この場合でも、制御部２が表示部２０の第１端側にソフトキーを表示することによって、ユーザは左手の第１指８１によって、ソフトキーに容易にアクセスできる。
【００４１】
本開示に係る実施形態について、諸図面及び実施例に基づき説明してきたが、当業者であれば本開示に基づき種々の変形又は修正を行うことが容易であることに注意されたい。従って、これらの変形又は修正は本開示の範囲に含まれることに留意されたい。例えば、各構成部又は各ステップなどに含まれる機能などは論理的に矛盾しないように再配置可能であり、複数の構成部又はステップなどを１つに組み合わせたり、或いは分割したりすることが可能である。本開示に係る実施形態について装置を中心に説明してきたが、本開示に係る実施形態は装置の各構成部が実行するステップを含む方法としても実現し得るものである。本開示に係る実施形態は装置が備えるプロセッサにより実行される方法、プログラム、又はプログラムを記録した記憶媒体としても実現し得るものである。本開示の範囲にはこれらも包含されるものと理解されたい。
【００４２】
本開示において「第１」及び「第２」等の記載は、当該構成を区別するための識別子である。本開示における「第１」及び「第２」等の記載で区別された構成は、当該構成における番号を交換することができる。例えば、第１面は、第２面と識別子である「第１」と「第２」とを交換することができる。識別子の交換は同時に行われる。識別子の交換後も当該構成は区別される。識別子は削除してよい。識別子を削除した構成は、符号で区別される。本開示における「第１」及び「第２」等の識別子の記載のみに基づいて、当該構成の順序の解釈、小さい番号の識別子が存在することの根拠に利用してはならない。
【符号の説明】
【００４３】
１  電子機器
２  制御部
１０  筐体
１０ａ  開口端
１６  受け部
２０  表示部
２１  スライダ
２２  アイコン
３０  タッチパネル
４０  把持部
４１  前面把持部
４２  前面段差部
４３  背面把持部
４４  背面段差部
４５  コーナーガード
４６  側面段差部
６０  カメラ
６１  撮像素子
６２  光学系
６３  カバー
６４  リング
６４ａ  開口端
６５  カメラリブ
６６  光軸
７０  シャッターボタン
７１  シャッターリブ
８１〜８５  第１〜第５指
８２１  第２指の第１関節
【図１】
2018128584.tif 000003
【図２】
2018128584.tif 000004
【図３】
2018128584.tif 000005
【図４】
2018128584.tif 000006
【図５】
2018128584.tif 000007
【図６】
2018128584.tif 000008
【図７】
2018128584.tif 000009
【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
長手方向を有する前面と、前記前面の反対側に位置する背面とを有する筐体と、
前記前面に設けられるタッチパネルディスプレイと、
前記長手方向の第１端の側に設けられた把持部と、
前記背面に設けられ、前記第１端の反対側に位置する第２端の側に設けられたカメラと
を備え、
前記把持部は、前記前面に設けられる前面段差部と、前記背面に設けられる背面段差部とを有し、
前記前面段差部と前記背面段差部とは、前記第１端の側における前記タッチパネルディスプレイの端部に沿い、
前記前面段差部は、前記前面段差部の中央付近が前記タッチパネルディスプレイの端部から離間する湾曲形状を有する、電子機器。
【請求項２】
前記前面段差部は、前記前面段差部の中央付近が前記第１端に接近する湾曲形状を有する、請求項１に記載の電子機器。
【請求項３】
前記背面段差部は、前記背面段差部の中央付近が前記第１端に接近する湾曲形状を有する、請求項１又は２に記載の電子機器。
【請求項４】
前記把持部は、前記筐体の側面に設けられる側面段差部をさらに有する、請求項１乃至３のいずれか一項に記載の電子機器。
【請求項５】
前記側面段差部は、前記長手方向に沿う線について線対称に設けられる、請求項４に記載の電子機器。
【請求項６】
前記側面段差部は、前記筐体の角部に設けられ、前記筐体の側面の中央付近より前記長手方向および前記筐体の短手方向に膨出する、請求項４又は５に記載の電子機器。
【請求項７】
前記カメラに撮像を指示するための物理ボタンをさらに備え、
前記物理ボタンは、前記側面段差部からユーザの第２指の第１関節から先端までの長さ未満だけ離れて位置する、請求項４乃至６のいずれか一項に記載の電子機器。
【請求項８】
前記物理ボタンの周囲に設けられる第１リブをさらに有する、請求項７に記載の電子機器。
【請求項９】
前記カメラの近傍に、第２リブをさらに有する、請求項１乃至８のいずれか一項に記載の電子機器。
【請求項１０】
前記第２リブを複数有する、請求項９に記載の電子機器。
【手続補正２】
【補正対象書類名】明細書
【補正対象項目名】０００６
【補正方法】変更
【補正の内容】
【０００６】
本開示の一実施形態に係る電子機器は、長手方向を有する前面と、前記前面の反対側に位置する背面とを有する筐体を備える。前記電子機器は、前記前面に設けられるタッチパネルディスプレイを備える。前記電子機器は、前記長手方向の第１端の側に設けられた把持部を備える。前記電子機器は、前記背面に設けられ、前記第１端の反対側に位置する第２端の側に設けられたカメラを備える。前記把持部は、前記前面に設けられる前面段差部と、前記背面に設けられる背面段差部とを有する。前記前面段差部と前記背面段差部とは、前記第１端の側における前記タッチパネルディスプレイの端部に沿い、前記前面段差部は、前記前面段差部の中央付近が前記タッチパネルディスプレイの端部から離間する湾曲形状を有する。
【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
長手方向を有する前面と、前記前面の反対側に位置する背面とを有する筐体と、
前記前面に設けられるタッチパネルディスプレイと、
前記長手方向の第１端の側に設けられた把持部と、
前記背面に設けられ、前記第１端の反対側に位置する第２端の側に設けられたカメラと、
前記カメラに撮像を指示するための物理ボタンと、
を備え、
前記把持部は、
前記筐体の前面のうち、前記タッチパネルディスプレイの前記第１端の側の近傍に設けられ、中央付近が前記第１端に接近する湾曲形状を有し、中央付近で前記タッチパネルディスプレイから離間する前面段差部と、
前記筐体の背面に設けられ、中央付近が前記第１端に接近する湾曲形状を有する背面段差部と、
前記筐体の側面のうち角部に設けられ、前記筐体の側面の中央付近より前記筐体のタッチパネルディスプレイを備える面に対する長手方向および短手方向に膨出する側面段差部と、を有し、
前記前面段差部と前記背面段差部とは、前記第１端の近傍に設けられ、
前記物理ボタンは、前記側面段差部からユーザの第２指の第１関節から先端までの長さ未満だけ離れて位置する、電子機器。
【請求項２】
前記側面段差部は、前記長手方向に沿う線について線対称に設けられる、請求項１に記載の電子機器。
【請求項３】
前記物理ボタンの周囲に設けられる第１リブをさらに有する、請求項１又は２に記載の電子機器。
【請求項４】
前記カメラの近傍に、第２リブをさらに有する、請求項１乃至３のいずれか一項に記載の電子機器。
【請求項５】
前記第２リブを複数有する、請求項４に記載の電子機器。
【手続補正２】
【補正対象書類名】明細書
【補正対象項目名】０００６
【補正方法】変更
【補正の内容】
【０００６】
本開示の一実施形態に係る電子機器は、長手方向を有する前面と、前記前面の反対側に位置する背面とを有する筐体を備える。前記電子機器は、前記前面に設けられるタッチパネルディスプレイを備える。前記電子機器は、前記長手方向の第１端の側に設けられた把持部を備える。前記電子機器は、前記背面に設けられ、前記第１端の反対側に位置する第２端の側に設けられたカメラを備える。前記電子機器は、前記カメラに撮像を指示するための物理ボタンを備える。前記把持部は、前記筐体の前面のうち、前記タッチパネルディスプレイの前記第１端の側の近傍に設けられ、中央付近が前記第１端に接近する湾曲形状を有し、中央付近で前記タッチパネルディスプレイから離間する前面段差部を有する。前記把持部は、前記筐体の背面に設けられ、中央付近が前記第１端に接近する湾曲形状を有する背面段差部を有する。前記把持部は、前記筐体の側面のうち角部に設けられ、前記筐体の側面の中央付近より前記筐体のタッチパネルディスプレイを備える面に対する長手方向および短手方向に膨出する側面段差部を有する。前記前面段差部と前記背面段差部とは、前記第１端の近傍に設けられる。前記物理ボタンは、前記側面段差部からユーザの第２指の第１関節から先端までの長さ未満だけ離れて位置する。